(57)【要約】【課題】録画した番組の再生で映像の欠落が生じている場合でもユーザの違和感や誤解を防止することができる放送受信記録再生装置を提供する。【解決手段】ＣＰＵ２０９は、録画処理において時間情報をパケットに付加して記録する。例えば、記録開始時からカウント処理を行い、このカウント値を参照して各パケットのヘッダに時間情報を付加する。録画番組の再生時には、ＣＰＵ２０９は各パケット間の時間情報の差異を算出し、５００ｍｓｅｃを超える差異があるときには、受信途切れが生じたと判定する。ＣＰＵ２０９は、受信途切れが生じたと判定したとき、その時点の映像を継続して表示すると共に、例えば、「受信断」といったメッセージ及びカウントダウン表示をＯＳＤ機能を用いて表示する。【選択図】図１
2010246156.tif 000002
【特許請求の範囲】
【請求項１】
映像データを録画する録画手段と、
映像データの録画を開始してから終了するまでの間に、映像データを録画できなかった期間を検出する検出手段と、
録画した映像データを再生する再生手段と、
再生された映像データに基づく映像を表示する表示手段と、を備え、
前記表示手段は、録画した映像データを再生している場合において、前記検出手段により検出された期間の再生が開始されたときは、前記検出手段により検出された期間がどれだけかを示す情報を表示し、前記検出手段により検出された期間における再生が進むにつれて、前記期間の長さを示す情報を更新すること、
を特徴とする放送受信記録再生装置。
【請求項２】
前記表示手段は、前記検出手段により検出された期間の表示を時間で表示することにより、前記検出手段により検出された期間の再生が進むにつれて、前記検出手段により検出された期間の残りを時間にて表示すること、を特徴とする請求項１に記載の放送受信記録再生装置。
【請求項３】
前記検出手段により検出された期間の再生が開始されてから所定時間経過したか否かを判断する判断手段を更に備え、
前記再生手段は、前記検出手段により検出された期間の再生が開始されてから所定時間経過した場合において前記検出手段により検出された期間が終了していないときは、前記検出手段により検出された期間の終了した位置から再生すること、
を特徴とする請求項１又は請求項２に記載の放送受信記録再生装置。
【発明の詳細な説明】
【技術分野】
【０００１】
この発明は、テレビ放送を受信して番組の記録再生を行う放送受信記録再生装置に関する。
【背景技術】
【０００２】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力することができる。また、近年においては、ディジタルテレビ放送を携帯電話などの移動端末で視聴することが可能になっている（特許文献１）。
【特許文献１】特開２００３−１０１８９８号公報
【特許文献２】特開平０９−２７５５４０号公報
【特許文献３】特開２００２−３４４８５３号公報
【特許文献４】特開２００４−１１２５０２号公報
【特許文献５】特開２００３−２６４７６１号公報
【発明の開示】
【発明が解決しようとする課題】
【０００３】
ところで、ディジタル放送の受信において、電波受信不能状態或いはパケット欠落等が生じた場合、データ復号処理が不能となって映像表示が行えない事態が生じる。そして、ディジタル放送の受信録画再生処理において、データ復号処理が行えなかった部分については、自動的にスキップして次映像を直ちに表示するか、或いは、スキップせずに無映像状態をそのまま提示するか、或いは、受信断前の映像を固定表示し続けることが考えられる。しかしながら、上記のごとく自動スキップする処理では、シーンが不自然に変化することになってユーザに違和感を与えることになり、また、無映像状態をそのまま提示する処理や受信断前の映像を固定表示し続ける処理では、故障と誤解するおそれがある。
【０００４】
この発明は、上記事情に鑑み、録画した番組の再生で映像の欠落が生じている場合でもユーザの違和感や誤解を防止することができる放送受信記録再生装置を提供することを目的とする。
【課題を解決するための手段】
【０００５】
この発明の放送受信記録再生装置は、上記の課題を解決するために、映像データを録画する録画手段と、映像データの録画を開始してから終了するまでの間に、映像データを録画できなかった期間を検出する検出手段と、録画した映像データを再生する再生手段と、再生された映像データに基づく映像を表示する表示手段と、を備え、前記表示手段は、録画した映像データを再生している場合において、前記検出手段により検出された期間の再生が開始されたときは、前記検出手段により検出された期間がどれだけかを示す情報を表示し、前記検出手段により検出された期間における再生が進むにつれて、前記期間の長さを示す情報を更新すること、を特徴とする。
【０００６】
上記の構成であれば、前記検出手段により検出された期間の再生が開始されたときは、前記検出手段により検出された期間がどれだけかを示す情報を表示し、前記検出手段により検出された期間における再生が進むにつれて、前記期間の長さを示す情報を更新するので、ユーザの違和感や誤解を防止することができる。
【０００７】
上記構成の放送受信記録再生装置において、前記表示手段は、前記検出手段により検出された期間の表示を時間で表示することにより、前記検出手段により検出された期間の再生が進むにつれて、前記検出手段により検出された期間の残りを時間にて表示することとしてもよい。
【０００８】
また、上記構成の放送受信記録再生装置において、前記検出手段により検出された期間の再生が開始されてから所定時間経過したか否かを判断する判断手段を更に備え、前記再生手段は、前記検出手段により検出された期間の再生が開始されてから所定時間経過した場合において前記検出手段により検出された期間が終了していないときは、前記検出手段により検出された期間の終了した位置から再生することとしてもよい。
【発明の効果】
【０００９】
この発明によれば、録画した番組の再生で映像の欠落が生じている場合でもユーザの違和感や誤解を防止することができるという効果を奏する。
【発明を実施するための最良の形態】
【００１０】
以下、この発明の実施形態を図１乃至図３に基づいて説明する。
【００１１】
図１はこの実施形態の携帯型の放送受信記録再生装置のブロック図である。
【００１２】
放送受信記録再生装置２は、図１に示すごとく、地上波ディジタルチューナ２３０による放送受信により得られた符号化映像・音声データ、或いは、スロット２０１に差し込まれたメモリカード３等から読み出した符号化映像・音声データにより、映像を液晶表示パネル２０２上に映し出すとともに、音声をイヤホン２０３から出力するようになっている。また、地上波ディジタルチューナ２３０による放送受信により得られた符号化映像・音声データを前記メモリカード３等に記録することもできる。なお，この実施形態では符号化映像はＨ．２６４であり、音声データはＭＰＥＧ２−ＡＡＣであるとする。
【００１３】
メモリカード３から読み出した符号化映像データは、ＰＣＭＣＩＡインターフェイス２２０、及びシステムバス２１３を経てビデオデコーダ２０４に供給される。また、地上ディジタル放送を受信するチューナ２３０は、この地上ディジタル放送で放送される符号化映像データのビットストリームデータを取り出し、ビデオデコーダ２０４やオーディオデコーダ（ＭＰＥＧ２−ＡＡＣ）２０６に与える。
【００１４】
ビデオデコーダ２０４は、ビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５はＣＰＵ２０９から出力指示された文字等を液晶表示パネル２０２に表示するＯＳＤ（オンスクリーンディスプレイ）処理も行う。また、グラフィックスコントローラ２０５は、放送受信映像の画面サイズを縮小する処理（スケーリング処理）を行うことができ、この画面サイズ変更による画面余部にメッセージが表示されるように、サイズ変更画面（動画プレーン）の生成及び静止画プレーンの生成を行うこともできる。オーディオデコーダ２０６は、ビットストリーム中の音声符号データを復号して音声データを生成する。ＳＤＲＡＭ２１０は、ビデオデコーダ２０４の上記処理において利用される。
【００１５】
ＬＣＤコントローラ２０７は、グラフィックスコントローラ２０５から供給された映像データに基づいてＬＣＤパネル２０２を駆動する。Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してイヤホン２０３に与える。
【００１６】
本体キー２１４に対する操作情報は、インターフェイス２１５及びシステムバス２１３を介してＣＰＵ２０９に与えられる。ＣＰＵ２０９は上記操作情報に基づいて必要な処理を実行する。本体キー２１４には、テンキー等の他、受信番組の録画や再生を指示するキーも設けられている。
【００１７】
また、近距離無線ネットワークを可能にするために、通信ブロック２１６及びインターフェイス２１７が設けられている。更に、ＦｌａｓｈＲＯＭ２１８やＳＤＲＡＭ２１９も備える。電池２２１は二次電池であり、図示しない充電器から電力の供給を得てこれを蓄える。携帯電話部２３１は電話や電子メール等に係わる処理を行う。
【００１８】
ＣＰＵ２０９は、無線ネットワークのための処理、受信データに基づく各機能部の制御、ＦｌａｓｈＲＯＭ２１８やＳＤＲＡＭ２１９のリード／ライト制御なども行うようになっている。
【００１９】
次に、ディジタル放送の録画再生処理について説明していく。
【００２０】
ＣＰＵ２０９は、例えば、本体キー２１４中の例えば録画キーが操作されたときに受信番組の録画処理を実行するが、この録画処理においては、Ｎｕｌｌパケットや受信できなかったパケットは記録しない。従って、受信番組（映像データ）のなかで欠落映像が存在することがある。また、図３（ａ）に示しているように、ＣＰＵ２０９は、時間情報をパケットに付加して記録する。例えば、記録開始時からカウント処理を行い、このカウント値を参照して各パケットのヘッダに時間情報を付加する。時間情報は、正常に記録された或るパケットとその次のパケットとの間で、例えば１０ｍｓｅｃの差異が生じるが、前述のごとくパケットの記録が行えない事態が生じたときには、或るパケットとその次のパケットとの間で、例えば５００ｍｓｅｃを超える差異が生じることがある。
【００２１】
録画番組の再生時には、ＣＰＵ２０９は各パケット間の時間情報の差異を算出する。この実施形態では連続するパケット間で時間情報に５００ｍｓｅｃを超える差異があるときには、受信途切れが生じたと判定するようにしている。ＣＰＵ２０９は、受信途切れが生じたと判定したとき、図２に示しているように、その時点の映像を継続して（固定して）表示する（受信断前の映像静止画表示）と共に、例えば、「受信断」といったメッセージをＯＳＤ機能を用いてＬＣＤパネル２０２に合成表示する。更に、この実施形態では、ＣＰＵ２０９は、前記時間情報の差異を秒換算して秒数を求める。また、ＣＰＵ２０９はタイマーを起動し、このタイマーからの経過秒数を前記秒数から減算する処理を行い、この減算秒数（カウントダウン）をＯＳＤ機能を用いてＬＣＤパネル２０２に合成表示する。そして、前記減算秒数が０になると、ＣＰＵ２０９は、次のパケットから再生処理を再開する。
【００２２】
上記の再生処理により、再生映像を見ているユーザにしてみれば、受信断部分が表示されずにいきなり次の映像が表示されてしまうことによる違和感が解消される。また、受信断前の映像静止画表示を受信断時間に対応する時間表示することに加えて次映像表示までカウントダウン表示処理を行うので、どのくらい待てばよいのか分からないといった不満も解消できることになる。
【００２３】
なお、ＣＰＵ２０９は、上記カウントダウン表示中において、ユーザによるスキップ操作（例えば、専用のスキップキー、或いは、十字キーにおける右方向キーの操作等）を監視し、このスキップ操作を検出したときには直ちに次映像表示を開始するようにしている。
【００２４】
また、上記の例では、受信断前の映像を継続して（固定して）表示することとしたが、無映像画面として前記「受信断」やカウントダウン表示を行うようにしてもよいし、次映像を直ちに表示すると共に「受信断がありました」といったメッセージを数秒間表示することとしてもよいものである。また、どのような表示形態を採用するかをユーザに選択させることとしてもよい。この選択においては、例えば、メニュー画面の「再生設定」の項目のなかに「ホールド」「無映像」「直ぐに次映像表示」といった項目を用意しておき、ユーザは十字キー操作でカーソルを所望の項目上に移動させ、決定キーを操作する。ＣＰＵ２０９は決定キーが操作されたときのカーソルが位置している項目に対応する情報をユーザ設定情報としてメモリに格納する。また、受信断前の映像表示時間や無映像状態を受信途切れの時間に一致させることに限定するものではなく、例えば、メーカー設定で決められた５秒といった固定の時間或いはユーザにより設定される固定の時間とすることとしてもよいし、若しくは、一致させることを基本としつつ上限時間（メーカー設定、ユーザ設定）を設ける構成としてもよいものである。
【００２５】
また、上記の例では、連続するパケット間で時間情報に５００ｍｓｅｃを超える差異（時間間隔）があるときに受信断の判定を行ったが、このような時間間隔に限定されるものではない。また、上記時間間隔についてもユーザによる設定が行えるようにしてもよい。また、上記の例では、パケットベースで録画処理を行い、その再生についての処理を示したが、これに限らず、例えば、図３（ｂ）に示すように、フレームベースでの録画処理を行い、その再生について受信断の判定処理を行うこともできる。図の例では、受信断判定の時間間隔を１００ｍｓｅｃとしており、フレーム１（映像）とフレーム２（映像）の間に受信断があったと判断する。また、記録に際して装置側で時間情報を生成して記録することとしたが、いわゆるＰＴＳ（presentation time stamp ）等を用いて受信断の判定を行うようにしてもよい。また、再生に際して受信断の判定を行うのではなく、記録に際して受信断の判定及び受信断時間情報を生成し、判定フラグと受信断時間情報を記録するようにしてもよい。
【００２６】
また、上記の例では、放送受信記録再生装置が携帯型として構成された例を示したが、例えば、車載型の放送受信記録再生装置、或いは据置型の放送受信記録再生装置として構成してもよいものである。
【図面の簡単な説明】
【００２７】
【図１】この発明の実施形態の移動端末（放送受信記録再生装置）の構成を示したブロック図である。
【図２】受信断部分が存在するときの画面表示例を示した説明図である。
【図３】同図（ａ）（ｂ）はそれぞれは図１の移動端末の外観を示すと共にメッセージ表示態様を示した平面図である。
【符号の説明】
【００２８】
２  放送受信記録再生装置
２０２  ＬＣＤパネル
２０５  グラフィックスコントローラ
２０７  ＬＣＤコントローラ
２０９  ＣＰＵ
２３０  地上波ディジタルチューナ
【図１】
2010246156.tif 000003
【図２】
2010246156.tif 000004
【図３】
2010246156.tif 000005